(57)【要約】【課題】  本発明は、受信する信号に応じてレベル測定を制御し、ハンドオーバ実行可否の判定の誤り頻度を低減することを目的とする。【解決手段】  本発明においては、周波数帯域の異なる無線信号を受信する移動局において、前記無線信号を受信する信号受信部と、該信号受信部で受信すべき信号の周波数帯域に応じて、受信ダイバーシティの適用又は非適用を制御する制御部と、該信号受信部で受信した受信信号のレベル測定を行うレベル測定部と、該レベル測定部の測定結果に基づいてハンドオーバの実行可否を判定するハンドオーバ判定部と、を備えたことを特徴とする移動局を用いる。【選択図】      図１
2009171375.tif 000002
【特許請求の範囲】
【請求項１】
周波数帯域の異なる無線信号を受信する移動局において、
前記無線信号を受信する信号受信部と、
該信号受信部で受信すべき信号の周波数帯域に応じて、受信ダイバーシティの適用又は非適用を制御する制御部と、
該信号受信部で受信した受信信号のレベル測定を行うレベル測定部と、
該レベル測定部の測定結果に基づいてハンドオーバの実行可否を判定するハンドオーバ判定部と、
を備えたことを特徴とする移動局。
【請求項２】
請求項１記載の移動局において、
前記制御部は、前記レベル測定部での受信ダイバーシティの適用又は非適用を制御することを特徴とする。
【請求項３】
請求項１記載の移動局において、
前記制御部は、前記信号受信部での受信ダイバーシティの適用又は非適用を制御することを特徴とする。
【請求項４】
請求項１記載の移動局において、
前記制御部は、周波数帯域毎の受信ダイバーシティ適用条件を記憶するメモリを備え、前記受信すべき信号の周波数帯域と該記憶している該受信ダイバーシティ適用条件との対応から受信ダイバーシティの適用又は非適用を判定し、該判定結果に基づいて制御を行うことを特徴とする。
【請求項５】
請求項１記載の移動局において、
前記受信信号は通信中の基地局とは異なる周波数帯域で通信を行う基地局から送信された信号であることを特徴とする。
【請求項６】
請求項１記載の移動局において、
前記信号受信部は前記受信すべき信号の周波数の情報を前記制御部に対し送出することを特徴とする。
【請求項７】
周波数帯域の異なる無線信号を受信する移動局でのレベル測定方法において、
受信すべき信号の周波数帯域に応じて、受信ダイバーシティの適用又は非適用を判定し、
該判定結果に応じて受信ダイバーシティを適用又は非適用による受信信号のレベル測定を行うことを特徴とするレベル測定方法。
【発明の詳細な説明】
【技術分野】
【０００１】
本発明は、無線通信においてハンドオーバする際、受信信号のレベルを測定する移動局及びレベル測定方法に関する。
【背景技術】
【０００２】
無線移動通信において、移動局は基地局間を移動する際にハンドオーバにより通信を接続する基地局を切り替える。その際、移動局は通信中の基地局とは異なる基地局から受信する信号のレベルを測定し所定の閾値と比較した結果、当該閾値を超えるレベルの信号の送信元である基地局を通信対象とするハンドオーバを行う。したがって、通信中に移動局が基地局間を移動する場合においても所定の閾値を超えるレベルで通信を維持することができる。
【０００３】
一方、移動局が基地局から受信する信号の電波は、周囲に存在する建築物等によって反射、回折し互いに干渉する。このように電波が長さの異なるパスを経て移動局に到達するマルチパス環境下では、移動局が移動すると受信電界強度が時間的に変動するフェージングが起き、通信品質の劣化が生じる。
【０００４】
そこで、フェージングの影響による下り通信の品質劣化を軽減する手段として、空間的に離れた複数のアンテナを用意し、受信する電波を切り替えまたは合成する、受信端スペースダイバーシティ（以下、受信ダイバーシティと表記）の適用がある。移動局は、受信ダイバーシティを用いると、マルチパス環境下において、一定以上の受信レベルでの信号受信が可能となる。
【０００５】
また、上述のようなマルチパス環境下に限らず、周囲に障害物が存在しない場合でも、自由空間伝搬損失によるＳ／Ｎ劣化が無線移動通信における通信品質の劣化要因となる。このような場合についても、受信ダイバーシティを適用することにより通信品質劣化の低減を図ることが可能となる。
【０００６】
移動局は、異なる周波数帯で通信を行う基地局間でのハンドオーバにおいても受信ダイバーシティを適用することにより通信品質の向上を図る。
【０００７】
例えば、特許文献１（段落０００６、００１３）には、「移動受信機がハンドオフ状態にあるときには前記複数の復調器がそれぞれ異なった基地局からの信号を受信するように前記複数の周波数変換器の受信周波数をそれぞれ異なった値に設定し、当該移動受信機がハンドオフ状態でないときには前記複数の周波数変換器の受信周波数を同一の値に設定する制御回路とを有する」及び「ハンドオフ中は異なった基地局からの信号を受信してダイバーシチ効果を持たせ、通常は同一基地局からの信号をダイバーシチ受信することで通信品質をあげる」という開示がある。
【０００８】
一方、受信ダイバーシティを適用する場合、移動局は、複数のアンテナに対応するハードウェアを動作させることが必要であるため、１本のアンテナを用いて電波の送受信を行う通常の場合に比べ消費電流が増大するという問題が生じる。つまり、受信ダイバーシティの適用による通信品質の向上と消費電流の増大とはトレードオフの関係にあるといえる。
【特許文献１】特許第３１２０８０９号
【発明の開示】
【発明が解決しようとする課題】
【０００９】
一般に、無線通信においてはキャリア周波数が低いほど電波伝播による信号劣化は小さくなることが知られている。例えばシステム上で８００ＭＨｚ帯と２ＧＨｚ帯の周波数帯域を使用している場合、８００ＭＨｚ帯での通信品質劣化の方が２ＧＨｚ帯での通信品質劣化よりも小さくて済むと考えられる。
【００１０】
そこで、比較的低い周波数帯での通信中には受信ダイバーシティを非適用とし、比較的高い周波数帯での通信中には受信ダイバーシティを適用とする制御を行うことで、通信品質の劣化を抑えつつ消費電流を増大させないという、上述のトレードオフの問題を解決することができる。
【００１１】
一方、異なるキャリア周波数帯域で通信を行う基地局間でのハンドオーバに受信ダイバーシティを適用し上記の制御を行う場合、次のような状況において通信品質の劣化を招くこととなる。
【００１２】
（１）受信ダイバーシティ適用周波数帯域での通信中に、受信ダイバーシティ非適用周波数帯域の信号について受信ダイバーシティを適用したレベル測定を行う場合、受信ダイバーシティを非適用とした場合よりも高い信号レベルを検出してしまう。その結果、移動局では、本来行われるべきでないハンドオーバが行われてしまう。
【００１３】
（２）受信ダイバーシティ非適用周波数帯域での通信中に、受信ダイバーシティ適用周波数帯域の信号を受信ダイバーシティを非適用としたレベル測定を行う場合、受信ダイバーシティを適用としたレベル測定を行う場合よりも低い信号レベルを検出してしまう。その結果、移動局では、本来行われるべきハンドオーバが行われない。
【００１４】
そこで、本発明は、受信する信号に応じてレベル測定を制御し、ハンドオーバ実行可否の判定の誤り頻度を低減することを目的とする。
【課題を解決するための手段】
【００１５】
本発明においては、周波数帯域の異なる無線信号を受信する移動局において、前記無線信号を受信する信号受信部と、該信号受信部で受信すべき信号の周波数帯域に応じて、受信ダイバーシティの適用又は非適用を制御する制御部と、該信号受信部で受信した受信信号のレベル測定を行うレベル測定部と、該レベル測定部の測定結果に基づいてハンドオーバの実行可否を判定するハンドオーバ判定部と、を備えたことを特徴とする移動局を用いる。
【００１６】
好ましくは、前記制御部は、前記レベル測定部での受信ダイバーシティの適用又は非適用を制御する。
【００１７】
好ましくは、前記制御部は、前記信号受信部での受信ダイバーシティの適用又は非適用を制御する。
【００１８】
好ましくは、前記制御部は、周波数帯域毎の受信ダイバーシティ適用条件を記憶するメモリを備え、前記受信すべき信号の周波数帯域と該記憶している該受信ダイバーシティ適用条件との対応から受信ダイバーシティの適用又は非適用を判定し、該判定結果に基づいて制御を行う。
【００１９】
好ましくは、前記受信信号は通信中の基地局とは異なる周波数帯域で通信を行う基地局から送信された信号である。
【００２０】
好ましくは、前記信号受信部は前記受信すべき信号の周波数の情報を前記制御部に対し送出する。
【００２１】
本発明においては、周波数帯域の異なる無線信号を受信する移動局でのレベル測定方法において、受信すべき信号の周波数帯域に応じて、受信ダイバーシティの適用又は非適用を判定し、該判定結果に応じて受信ダイバーシティを適用又は非適用による受信信号のレベル測定を行うことを特徴とするレベル測定方法を用いる。
【発明の効果】
【００２２】
本発明によれば、受信する信号に応じてレベル測定を制御し、ハンドオーバ実行可否の判定の誤り頻度を低減することが可能となる。
【発明を実施するための最良の形態】
【００２３】
以下、図面を用いて本発明の実施の形態について説明する。
（１）全体構成
図１は本発明の実施例における移動局の構成を示す図である。
【００２４】
図において、１ａ、１ｂはアンテナ、２は信号受信部、３は制御部、４は復調処理部、５はレベル測定部、６はハンドオーバ判定部を示す。
【００２５】
アンテナ１ａ、１ｂはキャリア周波数の異なる無線信号を受信する。無線信号は例えば拡散コードにより多重されたコード多重信号であってもよい。以下、アンテナ１ａにおいて受信した信号を信号１、アンテナ１ｂにおいて受信した信号を信号２とする。
【００２６】
信号受信部２は、信号１及び信号２をダウンコンバージョンにより高周波信号から中間周波数の信号へと周波数変換する受信処理を行い、復調処理部４及びレベル測定部５に当該周波数変換した信号を送出する。
【００２７】
また、信号受信部２は受信すべき信号の周波数を示す情報（以下、周波数情報と称す）を制御部３に送出する。
【００２８】
制御部３は、信号受信部２から送られてくる受信すべき信号の周波数情報に応じて、受信ダイバーシティを適用または非適用とするための制御信号（以下、受信ダイバーシティ制御信号と称す）を、信号受信部２、復調処理部４、レベル測定部５へ送出する。
【００２９】
なお、受信ダイバーシティ制御信号とは、受信ダイバーシティ適用制御（以下、ＯＮ制御と称す）又は受信ダイバーシティ非適用制御（以下、ＯＦＦ制御と称す）のいずれかの制御を行う信号である。さらに、受信ダイバーシティ制御信号は、ハードウェアの起動／停止やスイッチのＯＮ／ＯＦＦ切り替え等も制御する。例えば、ＯＮ制御ではハードウェアを起動、スイッチを接続（ＯＮ）の状態とし、ＯＦＦ制御ではハードウェアを停止、スイッチを非接続（ＯＦＦ）の状態とする。
【００３０】
復調処理部４は、信号受信部２から送られてくる信号１及び信号２の復調処理を行う。復調処理は例えば直交検波、逆拡散処理、ＲＡＫＥ合成である。また、受信ダイバーシティが適用されている場合は、アンテナ毎の受信信号の合成も行う。
【００３１】
レベル測定部５は、ハンドオーバのためのレベル測定を行う。受信ダイバーシティが適用されている場合は、アンテナ毎の信号、すなわち信号１及び信号２のそれぞれの信号レベルの測定結果を合成、又は、信号１と信号２とを合成した上で信号レベルを測定する。
【００３２】
レベル測定部５で測定された受信信号のレベル測定結果を示す情報（以下、レベル測定結果情報と称す）はハンドオーバ判定部６に送出される。
【００３３】
ハンドオーバ判定部６は、レベル測定部５からレベル測定結果情報を受信する。各基地局から送信された信号のレベルを所定の閾値と比較し、その比較結果を基にハンドオーバを実行するか否かを判定する。
【００３４】
なお、本発明の実施例においては、例えば、Ｃｏｍｐｒｅｓｓｅｄ  Ｍｏｄｅ（圧縮モード）を適用して通信中のデータ信号の送信を部分的に停止することにより、当該通信中の基地局とは異なる周波数帯域で通信を行う基地局から送信される信号を受信して、当該信号のレベル測定（異周波レベル測定）を行うものとする。
（２）受信ダイバーシティの制御
(a)信号受信部
図２は信号受信部２の動作を示す図である。
【００３５】
図において７ａ、７ｂは周波数変換器、８は周波数変換器制御部、９はスイッチを示す。なお、図１に対応する箇所は同一の符号を付し説明を省略する。
【００３６】
周波数変換器７ａ及び周波数変換器７ｂは、それぞれアンテナ１ａにおいて受信した信号１及びアンテナ１ｂにおいて受信した信号２をダウンコーバージョンにより高周波信号から中間周波数の信号へと変換し、変換した信号をそれぞれ復調処理部４に送出する。
【００３７】
周波数変換器制御部８は、自身の基準周波数と受信信号の周波数との差を縮小する自動周波数制御（ＡＦＣ；Ａｕｔｏ  Ｆｒｅｑｕｅｎｃｙ  Ｃｏｎｔｒｏｌ）の制御信号を周波数変換器７ａ及び周波数変換器７ｂのそれぞれに対して送出し、受信信号の周波数の変動を補正する制御を行う。
【００３８】
なお、移動局は、ＡＦＣにおける引き込み目標となる基準周波数を示す情報を含む信号を基地局から受信し、その情報を周波数変換器制御部８に設定する。
【００３９】
周波数変換器制御部８は、設定された基準周波数を示す情報（周波数情報）を制御部３に送出する。
【００４０】
スイッチ９は、アンテナ１ｂと周波数変換器７ｂとの接続を切り替える。
【００４１】
周波数変換器７ｂ、周波数変換器制御部８、スイッチ９はそれぞれ制御部３から送出される受信ダイバーシティ制御信号を受信する。
【００４２】
周波数変換器７ｂは、受信した受信ダイバーシティ制御信号が、ＯＮ制御の場合起動状態となり、ＯＦＦ制御の場合停止状態となる。
【００４３】
周波数変換器制御部８は、受信した受信ダイバーシティ制御信号が、ＯＮ制御の場合、周波数変換器７ｂへの制御信号を送出し、ＯＦＦ制御の場合、周波数変換器７ｂへの制御信号を送出しない。
【００４４】
スイッチ９は、受信した受信ダイバーシティ制御信号が、ＯＮ制御の場合、アンテナ１ｂと周波数変換器７ｂとが接続されるように切り替え、ＯＦＦ制御の場合、アンテナ１ｂと周波数変換器７ｂとが切断されるように切り替える。
【００４５】
(b)制御部
図３は制御部３の動作を示す図である。
【００４６】
図において、１０は適用周波数帯域設定メモリ、１１は受信ダイバーシティ判定部を示す。なお、図１に対応する箇所は同一の符号を付し説明を省略する。
【００４７】
適用周波数帯設定メモリ１０には、周波数帯域毎に受信ダイバーシティの適用又は非適用を決定する情報が記憶されている。この適用周波数帯域設定メモリ１０に記憶されている情報とは、例えば、受信信号の周波数帯域が８００ＭＨｚ帯では受信ダイバーシティ非適用、２ＧＨｚ帯では受信ダイバーシティ適用といった情報であり、任意に当該情報を設定することが可能である。
【００４８】
受信ダイバーシティ判定部１１では、信号受信部２から受信すべき信号の周波数情報を受信し、当該周波数情報と、適用周波数帯域設定メモリ１０に記憶されている当該周波数情報が示す周波数に対応する受信ダイバーシティ適用又は非適用についての情報とを比較し、受信ダイバーシティの適用又は非適用を判定する。
【００４９】
さらに受信ダイバーシティ判定部は、判定結果に応じて信号受信部２、復調処理部４、及びレベル測定部５のそれぞれに対し受信ダイバーシティ制御信号を送出する。
【００５０】
(c)レベル測定部
図４はレベル測定部４の動作を示す図である。
【００５１】
図において、１２ａ、１２ｂはレベル演算回路、１３は合成器、１４はスイッチを示す。なお、図１に対応する箇所は同一の符号を付し説明を省略する。
【００５２】
レベル演算回路１２ａ及びレベル演算回路１２ｂは、それぞれ信号受信部２から送出された信号１及び信号２を受信しレベル測定（演算処理）を行う。
【００５３】
レベル演算回路１２ａ及びレベル演算回路１２ｂは、それぞれ信号１及び信号２のレベル測定結果を合成器１３に送出する。
【００５４】
合成器１３は、レベル演算回路１２ａ及びレベル演算回路１２ｂから受信した信号１及び信号２の各レベル測定結果を合成する。
【００５５】
合成器１３は、合成して得られたレベル測定結果の情報をハンドオーバ判定部６へ送出する。
【００５６】
スイッチ１４は、制御部３からの受信ダイバーシティ制御信号に応じて信号受信部２とレベル演算回路１２ｂとの接続を切り替える。
【００５７】
レベル演算回路１２ｂ、合成器１３、及びスイッチ１４は制御部３から送出される受信ダイバーシティ制御信号を受信する。
【００５８】
レベル演算回路１２ｂは、受信した受信ダイバーシティ制御信号が、ＯＮ制御の場合、起動状態となり、ＯＦＦ制御の場合、停止状態となる。
【００５９】
合成器１３は、受信した受信ダイバーシティ制御信号が、ＯＮ制御の場合、レベル演算回路１２ａ及びレベル演算回路１２ｂから受信した各レベル測定結果を合成する処理を行い、ＯＦＦ制御の場合、当該合成処理を停止する。
【００６０】
スイッチ１４は、受信した受信ダイバーシティ制御信号が、ＯＮ制御の場合、信号受信部２とレベル演算回路１２ｂとが接続されるように切り替え、ＯＦＦ制御の場合、信号受信部２とレベル演算回路１２ｂとが切断されるように切り替える。
【００６１】
なお、受信ダイバーシティ適用時の受信信号のレベル測定においては、信号１と信号２を合成した上でレベル測定（演算処理）を行うようにしてもよい。
【００６２】
(d)レベル測定時の動作フロー
図５はレベル測定時における受信ダイバーシティの適用又は非適用の切り替え制御フローを示す。
【００６３】
Ｓ１において、通信中の周波数帯域が受信ダイバーシティ適用の周波数帯域であり受信ダイバーシティが適用されている場合はＳ２へ、受信ダイバーシティ非適用の周波数帯域であり受信ダイバーシティを適用していない場合はＳ７へ進む。
【００６４】
Ｓ２において、レベル測定をしようとする測定対象の信号の周波数帯域が受信ダイバーシティ適用の周波数帯域である場合はＳ６へ、受信ダイバーシティ非適用の周波数帯域である場合はＳ３へ進む。
【００６５】
Ｓ３では、Ｓ２において測定対象の信号の周波数帯域が受信ダイバーシティ非適用の周波数帯域である場合に、レベル測定部５における受信ダイバーシティを適用の状態から非適用の状態へと切り替える。
【００６６】
Ｓ４では、信号１のレベル測定を行う。
【００６７】
Ｓ５において、Ｓ４のレベル測定が終了すると、レベル測定部５における受信ダイバーシティを非適用の状態から適用の状態へと切り替える処理を行っても良い。
【００６８】
Ｓ６において、レベル測定をしようとする測定対象の信号の周波数帯域が受信ダイバーシティ適用の周波数帯域である場合はＳ７へ、受信ダイバーシティ非適用の周波数帯域である場合はＳ１０へ進む。
【００６９】
Ｓ７では、Ｓ６において測定対象の信号の周波数帯域が受信ダイバーシティ適用の周波数帯域である場合に、レベル測定部５における受信ダイバーシティを非適用の状態から適用の状態へと切り替える。
【００７０】
Ｓ８では、信号１及び信号２のそれぞれのレベル測定を行い測定結果を合成する、または、信号１と信号２とを合成した上で当該合成した信号のレベル測定を行う。
【００７１】
Ｓ９において、Ｓ８のレベル測定が終了すると、レベル測定部５における受信ダイバーシティを適用の状態から非適用の状態へと切り替える処理を行っても良い。
【００７２】
Ｓ１０では、Ｓ２において測定対象の信号の周波数帯域が受信ダイバーシティ適用の場合に、信号１及び信号２のそれぞれのレベル測定を行い測定結果を合成する、または、信号１と信号２とを合成した上で当該合成した信号のレベル測定を行う。
【００７３】
また、Ｓ１０では、Ｓ６において測定対象の信号の周波数地域が受信ダイバーシティ非適用の周波数帯域である場合に、信号１のレベル測定を行う。
（３）実施例１
図６及び図７は、本発明の実施例１の動作概要を示す。
【００７４】
それぞれの図において図１と対応する箇所は同一の符号を付している。
【００７５】
図６は、移動局が受信ダイバーシティ非適用の周波数帯域で通信中に、通信中の基地局とは異なる基地局からダイバーシティ適用の周波数帯域の信号（測定対象の信号）を受信した場合の動作を示している。
【００７６】
移動局が受信ダイバーシティ非適用の周波数帯域で通信する際、信号受信部２とアンテナ１ｂとは非接続の状態であり、アンテナ１ｂから受信する信号２は受信処理されない。したがって、信号受信部２、復調処理部４、及びレベル測定部５のそれぞれにおける信号２の信号処理に対応するハードウェアは停止の状態である。
【００７７】
信号受信部２はアンテナ１ａから受信する測定対象の信号の周波数情報を制御部３に送出する。
【００７８】
制御部３は信号受信部２から受信した周波数情報と、当該周波数情報に該当する周波数帯域  に対応する予め設定された受信ダイバーシティ適用又は非適用についての情報とを比較する。
【００７９】
測定対象の信号の周波数帯域はダイバーシティ適用の周波数帯域であるので、制御部３は信号受信部２、復調処理部４、レベル測定部５のそれぞれに対しＯＮ制御の受信ダイバーシティ制御信号を送出する。
【００８０】
信号受信部２は、ＯＮ制御の受信ダイバーシティ制御信号を受信すると、アンテナ１ｂと信号受信部２とを接続状態とし、信号２の受信処理に対応するハードウェアを起動する。
【００８１】
信号受信部２は、信号１及び信号２について周波数変換処理を行い、処理後のそれぞれの信号を復調処理部４に送出する。
【００８２】
復調処理部４は、ＯＮ制御の受信ダイバーシティ制御信号を受信すると、信号２の復調処理に対応するハードウェアを起動する。
【００８３】
復調処理部４は、信号受信部２から受信する信号１及び信号２を合成するとともに復調処理する。
【００８４】
レベル測定部５は、ＯＮ制御の受信ダイバーシティ制御信号を受信すると、信号２のレベル測定及び信号合成処理に対応するハードウェアを起動する。
【００８５】
レベル測定部５は、信号受信部２から受信する信号１及び信号２のそれぞれのレベル測定を行い、それぞれのレベル測定した結果を合成する、または、信号１と信号２とを合成した上で当該合成した信号のレベル測定を行う。
【００８６】
さらに、レベル測定部５は、レベル測定結果の情報をハンドオーバ判定部６に送出する。
【００８７】
ハンドオーバ判定部６は、受信したレベル測定結果の情報に応じてハンドオーバを実行するか否かを判定する。
【００８８】
なお、レベル測定終了後、受信ダイバーシティ適用の状態をもとの状態、すなわち受信ダイバーシティ非適用の状態に切り替える制御（ＯＦＦ制御）を行っても良い。
【００８９】
図７は、移動局が受信ダイバーシティ適用の周波数帯域で通信中に、当該通信中の基地局とは異なる基地局からダイバーシティ非適用の周波数帯域の信号を受信した場合の動作を示している。
【００９０】
移動局が受信ダイバーシティ適用の周波数帯域で通信する際、信号受信部２とアンテナ１ｂとは接続の状態であり、信号受信部２、復調処理部４、及びレベル測定部５のそれぞれにおける信号２の信号処理に対応するハードウェアは起動の状態である。
【００９１】
信号受信部２は、アンテナ１ａから受信する測定対象の信号の周波数情報を制御部３に送出する。
【００９２】
制御部３は、信号受信部２から受信した周波数情報と、当該周波数情報が示す周波数に対応する予め設定された受信ダイバーシティ適用又は非適用についての情報とを比較する。
【００９３】
測定対象の信号の周波数帯域はダイバーシティ非適用の周波数帯域であるので、制御部３は信号受信部２、復調処理部４、レベル測定部５のそれぞれに対しＯＦＦ制御の受信ダイバーシティ制御信号を送出する。
【００９４】
信号受信部２は、ＯＦＦ制御の受信ダイバーシティ制御信号を受信すると、信号受信部２とアンテナ１ｂとを非接続状態とし、信号２の受信処理に対応するハードウェアを停止する。
【００９５】
信号受信部２は、信号１について周波数変換処理を行い、処理後の信号を復調処理部４に送出する。
【００９６】
復調処理部４は、ＯＦＦ制御の受信ダイバーシティ制御信号を受信すると、信号２の復調処理に対応するハードウェアを停止する。
【００９７】
復調処理部４は、信号受信部２から受信する信号１を復調処理する。
【００９８】
レベル測定部５は、ＯＦＦ制御の受信ダイバーシティ制御信号を受信すると、信号２のレベル測定及び信号合成処理に対応するハードウェアを停止する。
【００９９】
レベル測定部５は、信号受信部２から受信する信号１のレベル測定を行い、測定結果の情報をハンドオーバ判定部６に送出する。
【０１００】
ハンドオーバ判定部６は、受信したレベル測定結果の情報に応じてハンドオーバを実行するか否かを判定する。
【０１０１】
なお、レベル測定終了後は、受信ダイバーシティ非適用の状態をもとの状態、すなわち受信ダイバーシティ適用の状態に切り替える制御（ＯＮ制御）を行っても良い。
（４）実施例２
図８及び図９は、本発明の実施例２の動作概要を示す。
【０１０２】
それぞれの図において図１と対応する箇所は同一の符号を付している。
【０１０３】
図８は、移動局が受信ダイバーシティ非適用の周波数帯域で通信中に、当該通信中の基地局とは異なる基地局からダイバーシティ適用の周波数帯域の信号（測定対象の信号）を受信した場合の動作を示している。
【０１０４】
移動局が受信ダイバーシティ非適用の周波数帯域で通信する際、信号受信部２とアンテナ１ｂとは非接続の状態であり、信号受信部２、復調処理部４、及びレベル測定部５のそれぞれにおける信号２の信号処理に対応するハードウェアは停止の状態である。
【０１０５】
信号受信部２は、アンテナ１ａから受信する測定対象の信号の周波数情報を制御部３に送出する。
【０１０６】
制御部３で、信号受信部２から受信した周波数情報と、当該周波数情報が示す周波数に対応する予め設定された受信ダイバーシティ適用又は非適用についての情報とを比較する。
【０１０７】
測定対象の信号の周波数帯域はダイバーシティ適用の周波数帯域であるので、制御部３は信号受信部２及びレベル測定部５のそれぞれへＯＮ制御の受信ダイバーシティ制御信号を送出し、復調処理部４へＯＦＦ制御の受信ダイバーシティ制御信号を送出する。ただし、制御部３は復調処理部４へ受信ダイバーシティ制御信号を送出しなくてもよい。
【０１０８】
信号受信部２は、ＯＮ制御の受信ダイバーシティ制御信号を受信すると、アンテナ１ｂと信号受信部２とを接続状態とし、信号２の受信処理に対応するハードウェアを起動する。
【０１０９】
信号受信部２は、信号１及び信号２について周波数変換処理を行い、処理後のそれぞれの信号を復調処理部４に送出する。
【０１１０】
復調処理部４は、ＯＦＦ制御の受信ダイバーシティ制御信号を受信する、又は、受信しないに関わらず、信号２の復調処理に対応するハードウェアを停止のままとする。
【０１１１】
復調処理部４は、信号受信部２から受信する信号１については復調処理を行うが、信号２については復調処理を行わない。
【０１１２】
レベル測定部５は、ＯＮ制御の受信ダイバーシティ制御信号を受信すると、信号２のレベル測定及び信号合成処理に対応するハードウェアを起動する。
【０１１３】
レベル測定部５は、信号受信部２から受信する信号１及び信号２のそれぞれのレベル測定を行い測定結果を合成する、または、信号１と信号２とを合成した上で当該合成した信号のレベル測定を行う。
【０１１４】
さらに、レベル測定部５は、レベル測定結果の情報をハンドオーバ判定部６に送出する。
【０１１５】
ハンドオーバ判定部６は、受信したレベル測定結果の情報に応じてハンドオーバを実行するか否かを判定する。
【０１１６】
なお、レベル測定終了後、受信ダイバーシティ適用の状態をもとの状態、すなわち受信ダイバーシティ非適用の状態に切り替える制御（ＯＦＦ制御）を行っても良い。
【０１１７】
図９は、移動局が受信ダイバーシティ適用の周波数帯域で通信中に、当該通信中の基地局とは異なる基地局からダイバーシティ非適用の周波数帯域の信号を受信した場合の動作を示している。
【０１１８】
移動局が受信ダイバーシティ適用の周波数帯域で通信する際、信号受信部２とアンテナ１ｂとは接続の状態であり、信号受信部２、復調処理部４、及びレベル測定部５のそれぞれにおける信号２の信号処理に対応するハードウェアは起動の状態である。
【０１１９】
信号受信部２は、アンテナ１ａから受信する測定対象の信号の周波数情報を制御部３に送出する。
【０１２０】
制御部３で、信号受信部２から受信した周波数情報と、当該周波数情報が示す周波数に対応する予め設定された受信ダイバーシティ適用又は非適用についての情報とを比較する。
【０１２１】
測定対象の信号の周波数帯域はダイバーシティ非適用の周波数帯域であるので、制御部３はレベル測定部５へＯＦＦ制御の受信ダイバーシティ制御信号を送出し、信号処理部２及び復調処理部４へＯＮ制御の受信ダイバーシティ制御信号を送出する。ただし、制御部３は信号処理部２及び復調処理部４へ受信ダイバーシティ制御信号を送出しなくてもよい。
【０１２２】
信号受信部２は、ＯＮ制御の受信ダイバーシティ制御信号を受信する、又は、受信しないに関わらず、アンテナ１ｂと信号受信部２とを接続状態のままとし、信号２の受信処理に対応するハードウェアを起動の状態のままとする。
【０１２３】
信号受信部２は、信号１及び信号２について周波数変換処理を行い、処理後の信号を復調処理部４に送出する。
【０１２４】
復調処理部４は、ＯＮ制御の受信ダイバーシティ制御信号を受信する、又は、受信しないに関わらず、信号２の復調処理に対応するハードウェアを起動の状態のままとする。
【０１２５】
復調処理部４は、信号受信部２から受信する信号１及び信号２を合成するとともに復調処理する。
【０１２６】
レベル測定部５は、ＯＦＦ制御の受信ダイバーシティ制御信号を受信すると、信号２のレベル測定及び信号の合成処理に対応するハードウェアを停止する。
【０１２７】
レベル測定部５は、信号受信部２から受信する信号１のレベル測定を行い、レベル測定結果の情報をハンドオーバ判定部６に送出する。
【０１２８】
ハンドオーバ判定部６は、受信したレベル測定結果の情報に応じてハンドオーバを実行するか否かを判定する。
【０１２９】
なお、レベル測定終了後、受信ダイバーシティ非適用の状態をもとの状態、すなわち受信ダイバーシティ適用の状態に切り替える制御（ＯＮ制御）を行っても良い。
【図面の簡単な説明】
【０１３０】
【図１】実施例の全体構成
【図２】信号受信部
【図３】制御部
【図４】レベル測定部
【図５】レベル測定時の受信ダイバーシティ制御フロー
【図６】実施例１において、受信ダイバーシティ非適用帯域通信中に、受信ダイバーシ          ティ適用帯域のレベル測定を行う場合の動作
【図７】実施例１において、受信ダイバーシティ適用帯域通信中に、受信ダイバーシテ          ィ非適用帯域のレベル測定を行う場合の動作
【図８】実施例２において、受信ダイバーシティ非適用帯域通信中に、受信ダイバーシ          ティ適用帯域のレベル測定を行う場合の動作
【図９】実施例２において、受信ダイバーシティ適用帯域通信中に、受信ダイバーシテ          ィ非適用帯域のレベル測定を行う場合の動作
【符号の説明】
【０１３１】
１ａ、１ｂ  アンテナ
２  信号受信部
３  制御部
４  復調処理部
５  レベル測定部
６  ハンドオーバ処理部
７ａ、７ｂ  周波数変換器
８  周波数変換器制御部
９、１４  スイッチ
１０  適用周波数帯域設定メモリ
１１  受信ダイバーシティ判定部
１２ａ、１２ｂ  レベル演算回路
１３  合成器
【図１】
2009171375.tif 000003
【図２】
2009171375.tif 000004
【図３】
2009171375.tif 000005
【図４】
2009171375.tif 000006
【図５】
2009171375.tif 000007
【図６】
2009171375.tif 000008
【図７】
2009171375.tif 000009
【図８】
2009171375.tif 000010
【図９】
2009171375.tif 000011